(57)【要約】【課題】エリアの設定など従来複雑であった操作も直感的な操作で行うことができて、設定操作のユーザビリティの向上が図れる映像システム及び設定メニュー変更方法を提供する。【解決手段】従来の十字キーなどのキースイッチに代ってマウス５を使用し、マウス５をクリックすることで、レコーダ３側からカメラ２側へ座標情報を通知し、カメラ２側では、レコーダ３側から通知された座標情報に基づいて出力する映像信号を変更する。例えば、（１）レコーダ３はマウスカーソルをモニタ４に表示する。（２）カメラ２が映像信号上にメニュー画面を表示し、そのうちの１つをカメラカーソルで選択状態とする。（３）ユーザはメニュー画面を見ながら選択したいリスト上をクリックする。（４）レコーダ３はクリックされた座標情報をカメラ２に通知する。（５）カメラ２は座標情報を元にカメラカーソルを移動させる。【選択図】図１
2010192978.tif 000002
【特許請求の範囲】
【請求項１】
映像信号および設定メニューをモニタに出力するカメラと、
前記カメラが出力する設定メニューを接続されたマウスを用いて操作する受信装置と、を備えた映像システムにおいて、
前記マウスがクリックされた際の前記モニタの画面上におけるカーソルの位置を示す座標情報を前記受信装置から前記カメラへ通知し、前記カメラは前記座標情報に基づき出力する設定メニューを変更する映像システム。
【請求項２】
前記受信装置は、前記マウスがクリックされた座標情報を記憶するメモリと、前記カメラからの出力信号の差分情報を検出する映像信号処理部と、を備え、
前記映像信号処理部で前記マウスがクリックされる前後の前記カメラの出力信号の差分情報から前記マウスがクリックされた座標情報を検出し、前記メモリに記憶されている座標情報と比較し、前記マウスがクリックされた座標情報を調整することを特徴とする請求項１に記載の映像システム。
【請求項３】
請求項１または２に記載された映像システムで用いられることを特徴とするカメラ。
【請求項４】
請求項１または２に記載された映像システムで用いられることを特徴とする受信装置。
【請求項５】
マウスがクリックされた際のモニタの画面上におけるカーソル位置を示す座標情報を受信装置からカメラへ通知する座標情報通知ステップと、
前記カメラは前記座標情報に基づき出力する設定メニューを変更する設定メニュー変更ステップと、
を備えた設定メニュー変更方法。
【発明の詳細な説明】
【技術分野】
【０００１】
本発明は、映像システム及び設定メニュー変更方法に関する。
【背景技術】
【０００２】
従来、映像信号を出力するカメラと、該カメラから出力された映像信号を記録するレコーダと、該レコーダに記録された映像を表示するためのモニタとを備えた映像システムが知られている（例えば、特許文献１参照）。
【０００３】
カメラは基本設定、詳細設定、特殊設定等の設定が可能であり、この設定を行うには、カメラが出力して表示したモニタ画面上のメニューを見ながら、カメラに対してカーソル移動や値変更のコマンドを送信する。メニュー操作にはレコーダ側の十字キーなどのキースイッチが用いられており、十字キーの場合は、上下左右に操作することで（即ち押下することで）、それぞれの操作に応じたコマンドがレコーダ側からカメラへ出力される。例えばカーソルを上方に移動させるには、十字キーの上部分を押下することで、その上部分に応じたコマンドがカメラに与えられ、そのコマンドに応じてカメラ側でカーソルを上方に移動させる映像情報を変更する。
【０００４】
【特許文献１】特開平５−０２１９４３０号公報
【発明の開示】
【発明が解決しようとする課題】
【０００５】
カーソルの移動や値の変更などの簡単な操作については、上下左右の操作に応じたコマンドのみで行えるので、十字キーなどのキースイッチでも簡単に行うことができる。しかしながら、エリアの設定などの複雑な操作になると、上下左右の操作に応じたコマンドのみでカーソル移動させるには操作が面倒になり、ユーザビリティが悪化する問題がある。
【０００６】
本発明は、係る事情に鑑みてなされたものであり、エリアの設定など従来複雑であった操作でも簡単に行うことができて、設定操作のユーザビリティの向上が図れる映像システム及び設定メニュー変更方法を提供することを目的とする。
【課題を解決するための手段】
【０００７】
本発明の映像システムは、映像信号および設定メニューをモニタに出力するカメラと、前記カメラが出力する設定メニューを接続されたマウスを用いて操作する受信装置と、を備えた映像システムにおいて、前記マウスがクリックされた際の前記モニタの画面上におけるカーソルの位置を示す座標情報を前記受信装置から前記カメラへ通知し、前記カメラは前記座標情報に基づき出力する設定メニューを変更する。
【０００８】
上記構成によれば、十字キーなどのキースイッチに代ってマウスを使用し、マウスをクリックすることで、受信装置側からカメラ側へ座標情報が通知され、カメラ側では、受信装置側から通知された座標情報に基づいて出力する設定メニューを変更する。これにより、エリアの設定など従来複雑であった操作も直感的な操作で行うことが可能となり、設定操作のユーザビリティの向上が図れる。
【０００９】
上記構成において、前記受信装置は、前記マウスがクリックされた座標情報を記憶するメモリと、前記カメラからの出力信号の差分情報を検出する映像信号処理部と、を備え、前記映像信号処理部で前記マウスがクリックされる前後の前記カメラの出力信号の差分情報から前記マウスがクリックされた座標情報を検出し、前記メモリに記憶されている座標情報と比較し、前記マウスがクリックされた座標情報を調整することを特徴としている。
【００１０】
本発明のカメラは、上記構成の映像システムで用いられることを特徴としている。
【００１１】
本発明の受信装置は、上記構成の映像システムで用いられることを特徴としている。
【００１２】
本発明の設定メニュー変更方法は、マウスがクリックされた際のモニタの画面上におけるカーソル位置を示す座標情報を受信装置からカメラへ通知する座標情報通知ステップと、前記カメラは前記座標情報に基づき出力する設定メニューを変更する設定メニュー変更ステップと、を備えている。
【００１３】
上記方法によれば、マウスをクリックすることで、受信装置側からカメラ側へ座標情報が通知され、カメラ側では、受信装置側から通知された座標情報に基づいて出力する設定メニューを変更する。これにより、エリアの設定など従来複雑であった操作も直感的な操作で行うことが可能となり、設定操作のユーザビリティの向上が図れる。
【発明の効果】
【００１４】
本発明は、マウスをクリックすることで、受信装置側からカメラ側へ座標情報が通知され、カメラ側では、受信装置側から通知された座標情報に基づいて出力する設定メニューを変更するので、エリアの設定など従来複雑であった操作も直感的な操作で行うことが可能となり、設定操作のユーザビリティの向上が図れる。
【発明を実施するための最良の形態】
【００１５】
以下、本発明を実施するための好適な実施の形態について、図面を参照して詳細に説明する。
【００１６】
図１は、本発明の一実施の形態に係る映像システムの外観を示す図である。同図に示すように、本実施の形態に係る映像システム１は、映像信号を出力するカメラ２と、カメラ２から出力された映像信号を記録するレコーダ３と、レコーダ３に接続され、カメラ２で撮影された映像を映し出すモニタ４と、レコーダ３に接続され、モニタ画面上にマウスカーソルを表示させるマウス５とを備えている。
【００１７】
カメラ２とレコーダ３及びレコーダ３とモニタ４は例えば同軸ケーブルで接続され、レコーダ３とマウス５はＵＳＢ（Universal Serial Bus）ケーブルで接続される。カメラ２は、設定メニューを含む映像信号を出力する。カメラ２は、マウス５の操作によるマウスカーソルの位置を示す座標情報がレコーダ３から通知されることで、通知された座標情報に基づき出力する映像信号を変更する。この詳細については後述する。レコーダ３は、カメラ２から出力された映像信号を記録するとともに、マウス５がクリックされた際のモニタ４の画面上におけるマウスカーソルの位置を示す座標情報をカメラ２へ通知する。
【００１８】
ここで、図２に示すように、カメラ２の設定メニューが“基本設定”、“詳細設定”、“特殊設定”の３項からなり、それぞれのＸ軸方向の座標範囲が１００（“基本設定”、“詳細設定”及び“特殊設定”の全てで２０〜１２０）で、Ｙ軸方向の座標範囲が２０（“基本設定”では４０〜６０、“詳細設定”では６０〜８０、“特殊設定”では８０〜１００）であるとし、現在のカメラカーソル位置が“基本設定”にある場合、マウス５で座標（５０，７０）をクリックする。
【００１９】
このとき、レコーダ３は同軸ケーブルを介してマウス５がクリックした座標情報（５０，７０）をカメラ２へ通知する。レコーダ３から座標情報（５０，７０）を受信したカメラ２は、受信した座標情報（５０，７０）に基づいて、反転表示させている“基本設定”を通常の表示に戻し、“詳細設定”を反転表示させ、カメラカーソルを移動させ、設定メニューを変更する。そして、設定メニューを含んだ映像信号がカメラ２からレコーダ３に出力されて、モニタ４の画面上の設定メニューにおいて、反転表示にあった“基本設定”が通常の表示に戻り、新たに“詳細設定”が反転表示になる（図２（ａ）→（ｂ））。
【００２０】
このように、マウス５がクリックされた際のモニタ４の画面上におけるマウスカーソルの位置を示す座標情報がレコーダ３からカメラ２に通知され、カメラ２は通知された座標情報に基づき出力する設定メニューを含んだ映像信号を変更する。
【００２１】
以下に図２のような設定メニューのカメラカーソル移動工程と図３のような設定されたエリアに動きが有るか無いかを検出するエリア設定工程の概要を示す。
（カーソル移動）
（１）レコーダ３は、マウスカーソルをモニタ４に表示する。
（２）カメラ２が映像信号上に設定メニューの画面を表示し、そのうちの１つをカメラカーソルで選択状態とする（図２（ａ））。
（３）ユーザは、モニタ４上の設定メニューの画面を見ながら選択したいリスト上をクリックする。
（４）レコーダ３は、クリックされた座標情報をカメラ２に通知する。
（５）カメラ２は、座標情報を元にカメラカーソルを移動させる（図２（ｂ））。
なお、マウス５のシングルクリックとダブルクリックの情報を付加することで、メニュー実行（下層への移動等）も可能である。
【００２２】
（エリア設定）
（１）レコーダ３は、マウスカーソルをモニタ４に表示する。
（２）カメラ２は、映像信号上にエリア設定画面を表示し、レコーダ３はそれをモニタ４に表示する。
（３）ユーザは、モニタ４を見ながら設定したいエリアの左上（始点）にマウスカーソルを合わせクリックする（図３（ａ））。
（４）レコーダ３は、クリックされた座標情報をカメラ２に通知する。
（５）カメラ２は、座標情報を元に映像信号上に始点情報を表示する。
（６）ユーザは、モニタ４を見ながら設定したいエリアの右下（終点）にマウスカーソルを合わせクリックする（図３（ｂ））。
（７）レコーダ３は、クリックされた座標情報をカメラ２に通知する。
（８）カメラ２は、始点と終点の座標情報を元に、映像信号上に矩形を描く（図３（ｃ））。
なお、カメラ２側でエリアの図形モードを複数持つことで、多様な図形を描くことも可能である。例えば、円モード：始点と終点を直径とするような円、多角形モード：クリックした箇所を頂点とする多角形（頂点を複数決めていき、最終的に始点をクリックして多角形を決定するなど）。
【００２３】
このように、レコーダ３からはマウス５でクリックされた座標情報を送るだけでカメラ側は設定の変更をしているので、新たな機能が搭載されたカメラが接続された場合でも、レコーダ３は特にソフトのバージョンアップなどをする必要がない。
【００２４】
次に、図４を参照してカメラ２とレコーダ３を詳細に説明する。同図は、本実施の形態に係る映像システム１のカメラ２及びレコーダ３それぞれの概略構成を示すブロック図である。カメラ２は、カメラ信号処理部２１、通信制御部２２及び設定メニュー制御部２３を備えている。カメラ信号処理部２１は、図示せぬ撮像素子（ＣＣＤ又はＣ−ＭＯＳ）から出力される映像信号を処理する。通信制御部２２は、レコーダ３との間の通信を制御し、レコーダ３からの座標情報の受信を行うとともに、受信した座標情報に基づく設定メニューの映像情報を含む映像信号の送信を行う。設定メニュー制御部２３は、通信制御部２２にて受信された座標情報に基づく設定メニューの映像情報を生成する。
【００２５】
レコーダ３は、ＣＰＵ３１、メモリ３２、通信制御部３３、映像信号処理部３４、映像出力部３５、録画再生制御部３６、記録部３７及びＧＵＩ制御部３８を備えている。ＣＰＵ３１は装置各部を制御し、メモリ３２はマウス座標情報及びカメラ２との位置差分情報（カメラ２の現在のカーソルの座標情報と、マウス５から入力された座標情報との差分）を記憶する。通信制御部３３は、カメラ２からの信号を受信し、映像信号を映像信号処理部３４に渡し、制御信号をＣＰＵ３１に渡す。映像信号処理部３４は、通信制御部３３から渡された映像信号を録画再生制御部３６に渡す。また、映像信号処理部３４は、映像の輝度差分を検知（ＶＭＤ：Video Motion Detection）し、ＣＰＵ３１に座標情報を通知する。ＧＵＩ（Graphical User Interface）制御部３８は、モニタ４の画面上に表示するＧＵＩを作成し、映像出力部３５に渡す。また、ＧＵＩ制御部３８は、表示しているマウスカーソルの位置情報などをＣＰＵ３１に通知する。映像出力部３５は、カメラ映像の上にＧＵＩ（マウスカーソル、レコーダのメニューなど）を乗せてモニタ４に出力する。録画再生制御部３６は、映像信号処理部３４から渡された映像信号を記録部３７に記録し、またＣＰＵ３１からの再生指示に従って記録部３７に記録した映像信号を読み出して映像出力部３５に渡す。記録部３７は、例えばハードディスク等の大容量記憶装置であり、録画再生制御部３６からの映像信号を記憶する。
【００２６】
次に、カメラ２とレコーダ３の各部の動作を説明する。この場合、カーソル位置微調整時の動作と基本動作とに分けて説明する。
【００２７】
（カーソル位置微調整時の動作）
ユーザがマウス５をクリックすると、ＣＰＵ３１がマウスクリックイベントを検知する。ＣＰＵ３１は、マウスクリックイベントを検知すると、ＧＵＩ制御部３８にマウス表示位置座標を問い合わせる。ＧＵＩ制御部３８は、ＣＰＵ３１からマウス表示位置座標の問い合わせを受けると、ＣＰＵ３１にマウス表示位置座標を通知する。ＣＰＵ３１は、ＧＵＩ制御部３８から通知を受けたマウス表示位置座標をメモリ３２に記憶するとともに、その座標情報を通信制御部３３に通知する。通信制御部３３は、ＣＰＵ３１から通知された座標情報をカメラ２へ送信する。更に、ユーザがマウス５をクリックし、同様の動作が行われ、複数の座標情報がカメラ２に送信される。
【００２８】
カメラ２の通信制御部２２は、レコーダ３の通信制御部３３から送信された座標情報を受信すると、それを設定メニュー制御部２３に通知する。設定メニュー制御部２３は、座標情報である位置座標を元に設定メニュー制御を実施し、更新した設定メニュー映像（複数の座標情報を対角とした矩形を表示）を通信制御部２２に与える。通信制御部２２は、更新された設定メニュー映像をレコーダ３へ送信する。レコーダ３の通信制御部３３は、カメラ２の通信制御部２２から送信された更新済みの設定メニュー映像を映像信号処理部３４に与える。映像信号処理部３４は、設定メニュー映像の矩形をＶＭＤ検知し、検知された座標をＣＰＵ３１に通知する。ＣＰＵ３１は、映像信号処理部３４で検知された矩形の座標とメモリ３２に記憶されているマウス表示位置座標を比較し、その結果を位置差分情報としてメモリ３２に記憶する。
【００２９】
この位置差分情報は、カメラ２とモニタ４との座標の原点に誤差が生じている場合、その誤差を調整する為に用いられる。なお、本実施の形態では、複数の座標情報により矩形を表示させたが、一つの座標情報で点を出力させることにより位置差分情報を検出することも可能である。
【００３０】
（基本動作）
ユーザがマウス５をクリックすると、ＣＰＵ３１がマウスクリックイベントを検知する。ＣＰＵ３１は、マウスクリックイベントを検知すると、ＧＵＩ制御部３８にマウス表示位置座標を問い合わせる。ＧＵＩ制御部３８は、ＣＰＵ３１からマウス表示位置座標の問い合わせを受けると、ＣＰＵ３１にマウス表示位置座標を通知する。ＣＰＵ３１は、ＧＵＩ制御部３８から通知を受けたマウス表示位置座標をメモリ３２に記憶する。次に、ＣＰＵ３１は、メモリ３２からカメラ２との位置差分情報を読み出し、読み出した位置差分情報とメモリ３２に記憶させたマウス表示位置座標とから位置座標を計算し直し、その結果（即ち計算し直した位置座標）を通信制御部３３に通知する。通信制御部３３は、ＣＰＵ３１から通知された位置座標を座標情報としてカメラ２へ送信する。
【００３１】
カメラ２の通信制御部２２は、レコーダ３の通信制御部３３から送信された座標情報を受信すると、それを設定メニュー制御部２３に通知する。設定メニュー制御部２３は、座標情報である位置座標を元に設定メニュー制御を実施し、更新した設定メニュー映像を通信制御部２２に与える。通信制御部２２は、更新された設定メニュー映像をレコーダ３へ送信する。レコーダ３の通信制御部３３は、カメラ２の通信制御部２２から送信された更新済みの設定メニュー映像を映像信号処理部３４に与える。映像信号処理部３４は、通信制御部２２から与えられた更新済みの設定メニュー映像を映像出力部３５に送る。映像出力部３５は、送られてきた設定メニュー映像をモニタ４に表示する。
【００３２】
以上のように本実施の形態の映像システム１によれば、従来の十字キーなどのキースイッチに代ってマウス５を使用し、マウス５をクリックすることで、レコーダ３側からカメラ２側へ座標情報を通知し、カメラ２側では、レコーダ３側から通知された座標情報に基づいて出力する映像信号を変更する。これにより、エリアの設定など従来複雑であった操作も直感的な操作で行うことが可能となり、設定操作のユーザビリティの向上が図れる。
【００３３】
なお、本実施の形態の映像システム１では、マウス５が接続される機器をレコーダ３としているが、レコーダ３以外のコントローラやスイッチャーなどのカメラ２に座標情報を送信できるものであれば良い。
【産業上の利用可能性】
【００３４】
本発明は、エリアの設定など従来複雑であった操作も直感的な操作で行うことができて、設定操作のユーザビリティの向上が図れるといった効果を有し、カメラと、該カメラで撮影して得られた映像情報を記録するレコーダとを備える映像システムなどへの適用が可能である。
【図面の簡単な説明】
【００３５】
【図１】本発明の一実施の形態に係る映像システムの外観を示す図
【図２】図１の映像システムにおけるカーソル移動時の動作を説明するための図
【図３】図１の映像システムにおけるエリア設定時の動作を説明するための図
【図４】図１の映像システムのレコーダ及びカメラそれぞれの概略構成を示すブロック図
【符号の説明】
【００３６】
１  映像システム
２  カメラ
３  レコーダ
４  モニタ
５  マウス
２１  カメラ信号処理部
２２  通信制御部
２３  設定メニュー制御部
３１  ＣＰＵ
３２  メモリ
３３  通信制御部
３４  映像信号処理部
３５  映像出力部
３６  録画再生制御部
３７  記録部
３８  ＧＵＩ制御部
【図１】
2010192978.tif 000003
【図２】
2010192978.tif 000004
【図３】
2010192978.tif 000005
【図４】
2010192978.tif 000006